(57)【要約】【課題】  天板面と調理器具を載置する場所の強度と安定性に優れ、かつ、折り畳んだテーブルを簡単に拡げて調理器具を載置する場所を設けることができ、少ない部品点数にて構成され、コストを低減できるテーブルを提供すること。【解決手段】  本発明は、平坦な天板面１０を支える４本の脚２０を備えた折り畳み可能なテーブルＴであって、前記天板面１０を構成する天板１１と、調理器具を配置できるように前記天板面１０に形成された開口部１２と、前記開口部１２を閉塞する着脱可能な天板蓋１３と、前記天板面１０と直接接することなく、前記脚２０同士を連結して前記天板面１０と平行な平面上に架設できる少なくとも２本の連結杆３０と、を備え、前記開口部１２から外された前記天板蓋１３又は他の天板１１を、当該開口部１２の下方位置にて少なくとも２本の前記連結杆３０の上に直接載置して支持できるテーブルＴである。【選択図】図１
2016195681.tif 000002
【特許請求の範囲】
【請求項１】
平坦な天板面を支える４本の脚を備えたテーブルであって、
前記天板面を構成する天板と、
調理器具を配置できるように前記天板面に形成された開口部と、
前記開口部を閉塞する着脱可能な天板蓋と、
前記天板面と直接接することなく、前記脚同士を連結して前記天板面と平行な平面上に架設できる少なくとも２本の連結杆と、
を備え、
前記天板面を折り畳むことができ、かつ、
前記開口部から外された前記天板蓋又は他の天板を、当該開口部の下方位置にて少なくとも２本の前記連結杆の上に直接載置して支持できるようにしたことを特徴とするテーブル。
【請求項２】
前記天板蓋又は他の天板は、底部に係止部を備え、当該係止部が少なくとも２本の前記連結杆と係合することで、当該天板蓋又は他の天板が連結杆の上から脱落することなく支持されるものであることを特徴とする請求項１に記載のテーブル。
【請求項３】
前記連結杆は、前記天板蓋又は他の天板の係止部に当接して天板蓋又は他の天板の載置位置を固定するストッパーを備えているものであることを特徴とする請求項２に記載のテーブル。
【請求項４】
前記連結杆は、前記脚同士を連結する補強部材を介して前記天板面と平行な平面上に架設されるものであることを特徴とする前記請求項１〜３のいずれか一項に記載のテーブル。
【請求項５】
前記連結杆は、前記脚同士を連結する補強部材と着脱可能に嵌合する略Ｕ字状又は略Ｃ字状の連結部を端部に備えていることを特徴とする前記請求項４に記載のテーブル。
【請求項６】
前記連結杆と、前記脚同士を連結する補強部材との連結部分には、互いに係合する位置決め手段が設けられていることを特徴とする前記請求項５に記載のテーブル。
【請求項７】
前記連結杆は、前記脚と着脱可能に嵌合する略Ｕ字状又は略Ｃ字状の連結部を端部に備えていることを特徴とする前記請求項１〜３のいずれか一項に記載のテーブル。
【請求項８】
前記連結杆と前記脚との連結部分には、互いに係合する位置決め手段が設けられていることを特徴とする前記請求項７に記載のテーブル。
【発明の詳細な説明】
【技術分野】
【０００１】
本発明は、テーブルに関するものであって、より詳細には、調理器具を配置できる開口部をテーブル天板面に形成できるテーブルに関するものである。
【背景技術】
【０００２】
従来、バーベキューグリルやコンロといった調理器具を配置できる開口部をテーブル天板面に形成できるテーブルであって、持ち運びに適するように天板面を折り畳みできるテーブルが多く提案されている（特許文献１〜特許文献１３）。
【０００３】
上記のようなテーブルにおいては、開口部の下方位置にて調理器具を支えるために、開口部を閉塞していた天板の一部（天板蓋）を天板の開口部周辺から吊り下げる支持構造を採用している。
【０００４】
なお、特許文献９は、開口部の下方位置に灰受け部材を吊り下げる支持構造を採用している。
また、特許文献１０は、天板支持バーとグリルハンガーによってグリルを吊り下げる支持構造を採用している。
【０００５】
上記従来のテーブルのように、天板蓋を天板の開口部周辺から吊り下げる支持構造においては、天板に調理器具の荷重が加わるため、開口部付近の天板が沈み込むように撓んだり、天板面が不安定化するおそれがある。
そして、このような問題は、天板同士を金具を用いて連結している折り畳み可能なテーブルにおいて特に顕著である。
また、天板蓋を天板の開口部周辺から吊り下げる支持構造においては、当該支持構造の剛性が低く、吊り下げられた天板蓋が揺れて調理器具が安定しないという問題がある。
【０００６】
そこで、特許文献１１及び特許文献１２は、天板の開口部の周囲を支える補強フレームを備えたテーブルを開示しているが、調理器具はやはり開口部周辺から吊り下げて支持するか、特許文献１３にて開示されているように、調理器具自体に設けた脚によって調理器具を開口部の下方に支持する構造を採用することになるものである。
【０００７】
また、上記従来のテーブルのように、天板蓋を天板の開口部周辺から吊り下げる支持構造においては、細かい部品の数が増えて製造コストが上昇したり、細かい組立作業が必要になるといった問題がある。
【先行技術文献】
【特許文献】
【０００８】
【特許文献１】特許第２８３８３８４号公報
【特許文献２】特許第２９０５９１７号公報
【特許文献３】特開２００３−１９９６２９号公報
【特許文献４】意匠登録第１１８９１６２号公報
【特許文献５】意匠登録第１０６７３４６号公報
【特許文献６】意匠登録第１３８１１９８号公報
【特許文献７】意匠登録第１３８２９９０号公報
【特許文献８】意匠登録第１３８４８３８号公報
【特許文献９】特許第３５１５０８５号公報
【特許文献１０】特開２００２−９５５３０号公報
【特許文献１１】特開２００２−２６２９４６号公報
【特許文献１２】意匠登録第１１８９２４２号公報
【特許文献１３】特許第４３５４２３０号公報
【発明の概要】
【発明が解決しようとする課題】
【０００９】
上記にて説明したとおり、従来のテーブルにおける、天板蓋を天板の開口部周辺から吊り下げる支持構造においては、天板に調理器具の荷重が直接加わるため、開口部付近の天板が撓んだり天板面が不安定化することがあるという問題や、吊り下げられた天板蓋が揺れて調理器具が安定しないという問題や、細かい部品点数が増えて製造コストが上昇したり、細かい組立作業が必要になるといった問題がある。
【００１０】
そこで、本発明の目的は、従来のテーブルにおける上記の課題を解決し、天板面と調理器具を載置する場所の強度と安定性に優れ、かつ、折り畳んだテーブルを簡単に拡げて調理器具を載置する場所を設けることができるとともに、少ない部品点数にて構成され、製造コストを低減することができるとともに、細かい組立作業を必要としないテーブルを提供することにある。
【課題を解決するための手段】
【００１１】
本発明は、「平坦な天板面を支える４本の脚を備えたテーブルであって、前記天板面を構成する天板と、調理器具を配置できるように前記天板面に形成された開口部と、前記開口部を閉塞する着脱可能な天板蓋と、前記天板面と直接接することなく、前記脚同士を連結して前記天板面と平行な平面上に架設できる少なくとも２本の連結杆と、を備え、
前記天板面を折り畳むことができ、かつ、前記開口部から外された前記天板蓋又は他の天板を、当該開口部の下方位置にて少なくとも２本の前記連結杆の上に直接載置して支持できるようにしたテーブル。」を最も主要な特徴とするものである。
【００１２】
本発明のテーブルにおいて、前記天板蓋又は他の天板は、底部に係止部を備え、当該係止部が少なくとも２本の前記連結杆と係合することで、当該天板蓋又は他の天板が連結杆の上から脱落することなく支持されるものであってもよい。
また、本発明のテーブルにおいて、前記連結杆は、前記天板蓋又は他の天板の係止部に当接して天板蓋又は他の天板の載置位置を固定するストッパーを備えているものであってもよい。
【００１３】
本発明のテーブルにおいて、前記連結杆は、前記脚同士を連結する補強部材を介して前記天板面と平行な平面上に架設されるものであってもよい。
また、前記連結杆は、前記脚同士を連結する補強部材と着脱可能に嵌合する略Ｕ字状又は略Ｃ字状の連結部を端部に備えているものであってもよい。
さらに、前記連結杆と、前記脚同士を連結する補強部材との連結部分には、互いに係合する位置決め手段が設けられているものであってもよい。
【００１４】
本発明のテーブルにおいて、前記連結杆は、前記脚と着脱可能に嵌合する略Ｕ字状又は略Ｃ字状の連結部を端部に備えているものであってもよい。
また、本発明のテーブルにおいて、前記連結杆と前記脚との連結部分には、互いに係合する位置決め手段が設けられているものであってもよい。
【発明の効果】
【００１５】
上記のように構成した本発明のテーブルは、少なくとも２本の連結杆によって脚同士を連結することで、テーブル全体の剛性を高めることができ、その連結杆の上に天板蓋又は天板面を構成しない他の天板を安定的に載置することができる。
よって、このような連結杆と天板蓋又は天板面を構成しない他の天板によって、強度と安定性に優れた調理器具の載置場所を設けることができる。
【００１６】
そして、上記のように構成した本発明のテーブルにおいては、調理器具の荷重が直接脚に加えられ、天板面に調理器具の荷重が加わることがないため、天板面の安定性や調理器具の安定性を害することもない。
さらに、天板蓋を吊り下げるための細かい部品を必要としないため、製造コストを低減できるとともに、折り畳まれた状態のテーブルを簡単かつ迅速に組み立てて調理器具を載置する場所を設けることができ、かつ、調理器具の安定性を確保することができる。
【００１７】
本発明のテーブルにおいて、前記天板蓋又は他の天板が、底部に係止部を備え、当該係止部が少なくとも２本の前記連結杆と係合するように構成することで、当該天板蓋又は他の天板を連結杆の上から脱落することなく支持することができる。
本発明のテーブルにおいて、前記連結杆が、前記天板蓋又は他の天板の係止部に当接して天板蓋又は他の天板の載置位置を固定するストッパーを備えているものとすることで、天板蓋又は他の天板の載置位置がずれることを防止でき、開口部の下方位置に調理器具の載置場所を確保することができる。
【００１８】
本発明のテーブルにおいて、前記脚同士を連結する補強部材を介して前記天板面と平行な平面上に前記連結杆を架設するものとすることで、テーブルの剛性と安定性を高めるとともに、連結杆を架設する位置をテーブルの中央部付近とすることができ、テーブルの使い勝手を向上させることができる。
【００１９】
また、本発明のテーブルにおいて、前記連結杆が、前記脚同士を連結する補強部材と着脱可能に嵌合する略Ｕ字状又は略Ｃ字状の連結部を端部に備えているものとすることで、連結杆と補強部材との連結を簡単かつ確実に行うことができる。
さらに、本発明のテーブルにおいて、前記連結杆と、前記脚同士を連結する補強部材との連結部分に、互いに係合する位置決め手段が設けられているものとすることで、連結杆の架設を正しい位置にて行うことができ、開口部の下方位置に調理器具の安定した載置場所を正しく設けることができる。
【００２０】
本発明のテーブルにおいて、前記連結杆が、前記脚と着脱可能に嵌合する略Ｕ字状又は略Ｃ字状の連結部を端部に備えているものとすることで、連結杆と脚との連結を簡単かつ確実に行うことができる。
また、本発明のテーブルにおいて、前記連結杆と前記脚との連結部分に、互いに係合する位置決め手段が設けられているものとすることで、連結杆の架設を正しい位置にて行うことができ、開口部の下方位置に調理器具の安定した載置場所を正しく設けることができる。
【図面の簡単な説明】
【００２１】
【図１】図１は本発明を具体化した一実施形態のテーブルの全体を示す斜視図及びテーブルの構成部品を示す正面図である。
【図２】図２は本発明を具体化した一実施形態のテーブルの天板蓋を取り外す様子を示す斜視図である。
【図３】図３は本発明を具体化した一実施形態のテーブル及び天板蓋を示す斜視図である。
【図４】図４は本発明を具体化した一実施形態のテーブルによって調理器具を使用している様子を示す斜視図である。
【図５】図５は本発明を具体化した一実施形態のテーブルの脚に連結杆を直接連結する態様を示すテーブルの斜視図である。
【図６】図６は本発明を具体化した各種の実施形態のテーブルを示す図であって、左端の図は平面図、その他の図は底面図である。
【図７】図７は本発明を具体化した一実施形態のテーブルを折り畳まれた状態から展開する様子を示す斜視図である。
【図８】図８は本発明を具体化した一実施形態の連結杆の端部と補強部材又は脚とが連結される様子を示す正面図である。
【発明を実施するための形態】
【００２２】
本発明は、「平坦な天板面を支える４本の脚を備えたテーブルであって、前記天板面を構成する天板と、調理器具を配置できるように前記天板面に形成された開口部と、前記開口部を閉塞する着脱可能な天板蓋と、前記天板面と直接接することなく、前記脚同士を連結して前記天板面と平行な平面上に架設できる少なくとも２本の連結杆と、を備え、
前記天板面を折り畳むことができ、かつ、前記開口部から外された前記天板蓋又は他の天板を、当該開口部の下方位置にて少なくとも２本の前記連結杆の上に直接載置して支持できるようにしたテーブル」であって、以下において説明する実施形態などにより具体化して実施することができる。
【００２３】
以下、本発明を具体化したテーブルＴの一実施形態について図面に従って説明する。
図１に示すように、本発明の一実施形態のテーブルＴは、左右方向に長い長方形状の平坦な天板面１０と、当該天板面１０をその四隅にて支える４本の脚２０を備えた折り畳み可能なテーブルＴであって、持ち運びが便利であり、屋外で使用するバーベキュー用のテーブルＴとして適したものである。
このテーブルＴの天板面１０は、折り畳み可能に連結された３枚の天板１１と、中央部の天板１１に形成された開口部１２を塞ぐ着脱可能な天板蓋１３とによって構成されている。
【００２４】
前記テーブルＴの脚２０は、開口部１２が形成されている中央部の天板１１と折り畳み可能に連結されている左右両端部の天板１１にそれぞれ固定された前後一対の可動脚部２１と、当該可動脚部２１の下端部に着脱可能に固定される延長脚部２２とから構成されている。
また、前記前後一対の可動脚部２１は、左右方向の内側へ回動させて天板１１の裏側に収納可能となっており、かつ、天板１１と直交する方向に展開して回動されると、天板１１との間に架け渡されたリンク機構２３によって天板１１と直交する方向にて固定されるようになっている。
【００２５】
さらに、前記前後一対の可動脚部２１は、天板面１０と平行な前後方向に配置された補強部材２４の両端部が可動脚部２１に沿うように曲げられて可動脚部２１に固定されることによって、互いに連結されて一体化されている。
【００２６】
この一実施形態の前記テーブルＴにおいては、その左右の両端部にそれぞれ配置された補強部材２４同士を連結するように、２本の連結杆３０が所定の間隔を保って架設できるようになっている。
この連結杆３０は、前記天板面１０と直接接することなく、前記補強部材２４を介して前記脚２０同士を連結し、前記天板面１０と平行な平面上に架設できるものである。
【００２７】
そして、この一実施形態の前記テーブルＴにおいては、前記開口部１２から外された前記天板蓋１３を、当該開口部１２の下方位置にて２本の前記連結杆３０の上に直接載置して支持できる。
なお、前記各天板１１は化粧合板から、前記天板蓋１３は金属製の板材から構成されており、前記可動脚部２１、延長脚部２２、補強部材２４及び連結杆３０は、軽量な金属製パイプから構成されている。
【００２８】
さらに、この一実施形態の前記テーブルＴの連結杆３０の端部には、略Ｃ字状の連結部３１が合成樹脂にて設けられており、当該連結部３１が若干弾性変形し、前記脚２０同士を連結する補強部材２４と着脱可能に嵌合することで、当該連結杆３０と補強部材２４との連結を簡単かつ確実に行うことができる。
また、この一実施形態のテーブルＴにおいて、前記連結杆３０と、前記脚２０同士を連結する補強部材２４との連結部分には、連結杆３０の連結部３１の内側上端部に突起３１ａが形成されており、補強部材２４の上面に透孔２４ａが形成されている。
【００２９】
そして、この突起３１ａと透孔２４ａは、互いに係合することで、連結杆３０と補強部材２４の連結位置を正しく決定できる位置決め手段を構成する。
従って、２本の連結杆３０の架設を正しい位置にて行うことができ、図４（Ａ）に示すように開口部１２の下方位置に調理器具４０の安定した載置場所を正しく設けることができる。
【００３０】
また、前記連結杆３０は、その中央部にて２分割して天板蓋１３の裏側にコンパクトに収納できるようになっており、公知のロックボタン３２を穴３３に嵌め込むことで一本の連結杆３０となるようにしている。
さらに、前記連結杆３０の中央部付近には、一対のストッパー３４が上向きに突設されている。
【００３１】
前記天板蓋１３は、前後左右の辺縁部が下方に折り曲げ形成されており、前記テーブルＴの中央部の天板１１に形成した開口部１２に対して着脱可能に嵌め込まれ、折り曲げられた前後の辺縁部に設けられた穴１４にロックピン１４ａが係合することで、開口部１２内に固定されている。
さらに、前記天板蓋１３の底部に相当する左右の辺縁部には、係止部として機能する切欠部１５が設けられており、当該係止部（切欠部１５）に２本の前記連結杆３０が係合することで、当該天板蓋１３を連結杆３０の上から脱落することなく支持することができるようになっている。
【００３２】
なお、前記天板蓋１３の底部に相当する左右の辺縁部に形成され、係止部として機能する切欠部１５としては、左右の辺縁部に２本の連結杆３０の間隔と対応する間隔を設けて２ヶ所形成してもよいが、前記左右の辺縁部に２本の連結杆３０の間隔と対応する幅を有する切欠部１６を１ヶ所形成してもよい（図３（Ｂ）参照）。
【００３３】
本実施形態のテーブルＴにおいて、前記連結杆３０のストッパー３４は、前記天板蓋１３の切欠部１５の内側面に当接して天板蓋１３の載置位置を固定する（一定の狭い範囲内に限定することを含む。）ようになっている。
従って、天板蓋１３の載置位置がずれることを防止でき、開口部１２の下方位置に調理器具４０の載置場所を確保することができる。
【００３４】
本発明のテーブルＴを構成する各部品は、金属製板材、金属製パイプ、金属製金具、樹脂成形品などから公知の加工方法にて製造可能である。
次に、テーブルＴがコンパクトに折り畳まれた状態から天板１１及び脚２０を展開してテーブルＴを使用する手順について説明する。
【００３５】
図７に示すように、まず、天板１１同士が開かないようにロックしている金具１７を外し、左右の天板１１を拡げ、天板１１を拡げた状態を維持するために天板１１同士の連結部分にて金具１８により天板１１同士を固定する。
次に、前記可動脚部２１を引き起こして天板面１０と直交する方向に固定する。この状態では、図４（Ｂ）に示すように、脚が短いローポジションのテーブルＴとして使用可能となる。
【００３６】
次に、前記可動脚部２１の下端部に前記延長脚部２２の上端部を嵌め込んで固定することで、脚が長いハイポジションのテーブルＴとして使用可能となる。
なお、この状態で開口部１２から天板蓋１３を取り外せば、図４（Ｃ）に示すように自立型の調理器具４１を開口部１２に配置して通常のテーブルＴとして使用可能である。
さらに、分割されていた連結杆３０を繋ぎ、連結杆３０の端部に設けた連結部３１を、前記補強部材２４の所定位置に嵌合することで、当該連結杆３０と補強部材２４とを連結する。
【００３７】
次に、調理器具４０の設置場所を設けるためには、天板蓋１３を外し、開口部１２の下方位置にて連結杆３０の上に載置する。このとき、前記天板蓋１３の底部に設けた係止部として機能する切欠部１５と、２本の前記連結杆３０とを係合させ、同時に、前記連結杆３０のストッパー３４を、前記天板蓋１３の切欠部１５の内側面に当接させて天板蓋１３の載置位置を固定する。
上記のような簡単かつ迅速な手順にて、調理器具４０を天板蓋１３の上に置いて安定的に使用することが可能となる。
【００３８】
上記にて説明したとおり、本発明のテーブルＴは、細かい部品を多用することがなく、天板面１０や調理器具４０の設置場所の強度や安定性に優れ、かつ、製造や使用の際の手間と製造コストの低減を図ることができ、使い勝手に優れたテーブルＴを提供することができる。
【００３９】
本発明は、上記実施形態に限定されるものではなく、本発明の趣旨を逸脱しない範囲で連結部３１や係止部など各部の形状、個数、配置、材料などを適宜変更して実施してもよい。
例えば、本発明は、連結杆３０を３本以上用いて天板蓋１３を支えるようにして実施したり、図５（Ａ）に示すように前後又は左右の脚２０同士を直接連結杆３０によって連結するようにして具体化して実施したり、図５（Ｂ）に示すように連結杆３０を開口部１２の下方位置にて×字状に交差させるようにして連結杆３０を脚２０に固定して具体化して実施してもよい。
【００４０】
上記のような連結杆３０を、脚２０又は脚２０同士を直接連結する補強部材２４に対して固定し、開口部１２の下方位置に調理器具４０の安定した載置場所を設ける方法の具体例のいくつかは、図６に記載されている。
そして、前記連結杆３０を開口部１２の下方位置にて×字状に交差させる場合には、連結杆３０の交差部分に×字状の連結金具を使用したり、図６（Ａ）の右端に示すように天板蓋１３の４隅に連結杆３０の端部を差し込んで固定できるようにして具体化して実施してもよい。
また、本発明は、図６（Ｂ）に示すように天板面１０を２つに折り畳みできるテーブルＴにおいて具体化して実施してもよい。
【００４１】
また、本発明は、開口部１２を塞ぐ天板蓋１３に代えて、他の天板１１を連結杆３０によって支えるようにして実施してもよい。このような実施形態は、例えば、図６（Ｃ）に示すように中央部の天板１１に４本の脚２０が設けられており、左右の端部の天板１１を取り外すことができるテーブルＴにおいて具体化することができる。
【００４２】
さらに、上記実施形態の本発明のテーブルＴの天板面１０は、折り畳み可能に連結された天板１１と、中央部の天板１１に形成された開口部１２を塞ぐ着脱可能な天板蓋１３とによって構成したが、図６（Ｄ）に示すように天板１１と、天板１１と折り畳み可能に連結された枠体１９であって、当該枠体１９によって形成される開口部１２を塞ぐ着脱可能な天板蓋１３とによって構成されるものであってもよい。
【００４３】
また、本発明の天板蓋１３は、メッシュ（金網）からなるものであってもよい。
さらに、本発明の位置決め手段としては、連結杆３０の連結部３１に透孔又は凹部を設け、補強部材２４又は脚２０に突起を設けて実施してもよい。
また、本発明は、図８に示すように連結杆３０の端部に、合成樹脂からなり若干弾性変形可能な略Ｕ字状の連結部３１を設けて実施してもよい。
さらに、連結杆３０の端部と補強部材２４又は脚２０との連結は、蝶ネジ又はクランプなどを用いて強固に行うようにして実施してもよい。
【産業上の利用可能性】
【００４４】
本発明は、調理器具を開口部に安定して配置でき、持ち運び容易でかつ簡易に製造可能であって組立も容易なテーブルとして産業上利用可能である。
【符号の説明】
【００４５】
１０    天板面
１１    天板
１２    開口部
１３    天板蓋
１４    穴
１４ａ  ロックピン
１５    切欠部（係止部）
１６    切欠部（係止部）
１７    金具
１８    金具
１９    枠体
２０    脚
２１    可動脚部
２２    延長脚部
２３    リンク機構
２４    補強部材
２４ａ  透孔（位置決め手段）
３０    連結杆
３１    連結部
３１ａ  突起（位置決め手段）
３２    ロックボタン
３３    穴
３４    ストッパー
４０    調理器具
４１    調理器具（自立型）
Ｔ    テーブル
【図１】
2016195681.tif 000003
【図２】
2016195681.tif 000004
【図３】
2016195681.tif 000005
【図４】
2016195681.tif 000006
【図５】
2016195681.tif 000007
【図６】
2016195681.tif 000008
【図７】
2016195681.tif 000009
【図８】
2016195681.tif 000010